(57)【要約】【課題】表示画面の向きによらず、使用者が通知を視認可能な携帯通信端末及び携帯通信端末の通知方法を提供すること。【解決手段】携帯通信端末は、第１ユニットと、第１ユニットの第１面に対して第１面が対向するように配された第２ユニットと、第１ユニットと第２ユニットとを回転可能に連結する回転機構と、を備える。第１ユニットは、第２ユニットの第１面に向かって発光するように配された少なくとも１つの光源を有する。光源からの光は、第２ユニットの第２面から放射される。【選択図】図１
2010258519.tif 000002
【特許請求の範囲】
【請求項１】
第１ユニットと、
前記第１ユニットの第１面に対して第１面が対向するように配された第２ユニットと、
前記第１ユニットと前記第２ユニットとを回転可能に連結する回転機構と、を備え、
前記第１ユニットは、前記第２ユニットの前記第１面に向かって発光するように配された少なくとも１つの光源を有し、
前記光源からの光は、前記第２ユニットの第２面から放射されることを特徴とする携帯通信端末。
【請求項２】
前記第２ユニットは、前記回転機構の両側に、前記光源からの光を前記第２ユニットの前記第２面方向に反射する反射面を有することを特徴とする請求項１に記載の携帯通信端末。
【請求項３】
前記第２ユニットは、前記光源からの光を前記反射面に導く導光路を有することを特徴とする請求項２に記載の携帯通信端末。
【請求項４】
ヒンジ機構と、
前記ヒンジ機構によって前記第２ユニットと開閉可能に連結された第３ユニットと、をさらに備え、
前記第１ユニットの第２面を外面にして閉じた状態及び前記第１ユニットの第３面を外面にして閉じた状態において、前記光源からの光が、前記第２ユニットの前記第２面から放射されることを特徴とする請求項１〜３のいずれか一項に記載の携帯通信端末。
【請求項５】
前記第１ユニットは、前記回転機構の両側に光源を有することを特徴とする請求項１〜４のいずれか一項に記載の携帯通信端末。
【請求項６】
前記第１ユニットは、前記第２面及び前記第３面のうち少なくとも一方表示画面を有し、
前記第３ユニットは操作キーを有することを特徴とする請求項１〜５のいずれか一項に記載の携帯通信端末。
【請求項７】
携帯通信端末の第１ユニットに設けられた光源からの光を、前記第１ユニットに回転機構によって連結された第２ユニットの外面から放射することを特徴とする携帯通信端末の通知方法。
【請求項８】
前記第２ユニットとヒンジ機構によって連結された第３ユニットと前記第２ユニットとを、前記ヒンジ機構により前記第１ユニットと前記第３ユニットとを閉じた状態において前記光源からの光を前記第２ユニットの前記外面から放射することを特徴とする請求項７に記載の携帯通信端末の通知方法。
【発明の詳細な説明】
【技術分野】
【０００１】
本発明は、着信やメール受信等を光によって使用者に通知する携帯電話機等の携帯通信端末及び携帯通信端末の通知方法に関する。
【背景技術】
【０００２】
例えば、携帯電話機においては、着信やメール受信があった場合、一般的に、着信やメール受信があったことを使用者に通知するように設定されている。通知方法としては、聴覚的手段（例えば、音や歌）、触覚的手段（例えば、振動）、視覚的手段（例えば、文字・記号の表示や発光）等が利用されている。例えば、特許文献１には、発光により着信などを知らせる折り畳み式携帯情報端末が開示されている。特許文献１に記載の携帯端末装置は、筐体の外側の面に配置された面発光部と、この面発光部を覆うように筐体に着脱可能な、少なくとも一部が透明または半透明であるパネル部材と、を備える。特許文献１に記載の携帯端末装置は、通信機能を有し、着信時に面発光部全体が発光する。
【０００３】
また、カメラ撮影やテレビ視聴が可能な携帯電話機においては、表示画面の向きが可変なものも存在する。例えば、特許文献２に記載の折り畳み式携帯情報端末は、片面に表示部を有する上側ユニットと、操作部を有する下側ユニットと、下側ユニットと上側ユニットを開閉および回動自在に結合する可動接合部材とを有し、可動接合部材の基端部を下側ユニットに固設するとともに先端部は上側ユニットと下側ユニットが平行になる姿勢において上側ユニットにより遮蔽されずに外部に露呈するように構成され、可動接合部材の先端部に着信等を報知する発光部を配置してなる。
【先行技術文献】
【特許文献】
【０００４】
【特許文献１】特開２００４−８０３９０号公報
【特許文献２】特開２００３−２９８６９８号公報
【発明の概要】
【発明が解決しようとする課題】
【０００５】
以下の分析は、本発明の観点から与えられる。
【０００６】
携帯通信端末においては、一方の面に、使用者が主として使用する表示画面（主表示画面）を配置し、その反対側の面に、簡易な通知用の補助画面や発光機構を有しているものがある（例えば特許文献１及び特許文献２に記載のような携帯端末）。しかしながら、あるユニットの両面に、それぞれ、表示画面や発光機構を設けると、そのユニットを薄型化することはできなくなる。
【０００７】
また、テレビ機能や動画再生機能を有する携帯通信端末においては、ヒンジ機構によって開閉変形可能であると共に、回転機構によって主表示画面を表裏に回転変形可能なものがある。この種の携帯通信端末においては、テレビや動画視聴する際には、主表示画面を外面にするように変形される。このため、携帯通信端末が、主表示画面とは反対側の面に補助画面や発光機構を有していても、テレビや動画を視聴している際には、主表示画面の反対側の面は隠れてしまうため、着信やメール受信の通知を補助画面や発光機構から出しても視聴者は視認することができない。一方、表示画面でテレビや動画を視聴している際に、着信やメール受信の通知を表示画面に出すことは、テレビや動画の視聴上好ましくない。
【０００８】
本発明は、表示画面の向きによらず、使用者が通知を視認可能な携帯通信端末及び携帯通信端末の通知方法を提供することである。
【課題を解決するための手段】
【０００９】
本発明の第１視点によれば、第１ユニットと、第１ユニットの第１面に対して第１面が対向するように配された第２ユニットと、第１ユニットと第２ユニットとを回転可能に連結する回転機構と、を備える携帯通信端末が提供される。第１ユニットは、第２ユニットの第１面に向かって発光するように配された少なくとも１つの光源を有する。光源からの光は、第２ユニットの第２面から放射される。
【００１０】
本発明の第２視点によれば、携帯通信端末の第１ユニットに設けられた光源からの光を、第１ユニットに回転機構によって連結された第２ユニットの外面から放射する携帯通信端末の通知方法が提供される。
【発明の効果】
【００１１】
本発明は、以下の効果のうち少なくとも１つを有する。
【００１２】
本発明によれば、第１ユニットの向きにかかわらず、使用者は、光による通知を視認することができる。また、第１ユニットの第１面（表面）と第２面（裏面）にそれぞれ光源を設ける必要が無いので、第１ユニットを薄型化することができる。本発明は、特に、ヒンジ機構近傍に光源を配置することができない携帯通信端末に有用である。
【図面の簡単な説明】
【００１３】
【図１】本発明の第１実施形態に係る携帯通信端末の概略斜視図。
【図２】本発明の第１実施形態に係る携帯通信端末の概略斜視図。
【図３】本発明の第１実施形態に係る携帯通信端末の概略斜視図。
【図４】本発明の第１実施形態に係る携帯通信端末の概略斜視図。
【図５】本発明の第１実施形態に係る携帯通信端末の概略斜視図。
【図６】図１に示すVI−VI線における携帯通信端末の概略部分断面図。
【図７】本発明の第１実施形態に係る携帯通信端末の内部構成の一例を示す概略構成図。
【発明を実施するための形態】
【００１４】
上記各視点の好ましい形態を以下に記載する。
【００１５】
上記第１視点の好ましい形態によれば、第２ユニットは、回転機構の両側に、光源からの光を第２ユニットの第２面方向に反射する反射面を有する。
【００１６】
上記第１視点の好ましい形態によれば、第２ユニットは、光源からの光を反射面に導く導光路を有する。
【００１７】
上記第１視点の好ましい形態によれば、携帯通信端末は、ヒンジ機構と、ヒンジ機構によって第２ユニットと開閉可能に連結された第３ユニットと、をさらに備える。第１ユニットの第２面を外面にして閉じた状態及び第１ユニットの第３面を外面にして閉じた状態において、光源からの光が、第２ユニットの第２面から放射される。
【００１８】
上記第１視点の好ましい形態によれば、第１ユニットは、回転機構の両側に光源を有する。
【００１９】
上記第１視点の好ましい形態によれば、第１ユニットは、第２面及び第３面のうち少なくとも一方表示画面を有する。第３ユニットは操作キーを有する。
【００２０】
上記第２視点の好ましい形態によれば、第２ユニットとヒンジ機構によって連結された第３ユニットと第２ユニットとを、ヒンジ機構により第１ユニットと第３ユニットとを閉じた状態において光源からの光を第２ユニットの外面から放射する。
【００２１】
本発明の第１実施形態に係る携帯通信端末について、携帯電話機を例にして説明する。図１〜図５に、本発明の第１実施形態に係る携帯通信端末の概略斜視図を示す。図１〜図５は、折り畳み式携帯電話機の概略斜視図であり、１つの携帯電話機の変形動作例を示している。
【００２２】
携帯電話機１００は、第１ユニット１０１、第２ユニット１０２、及び第３ユニット１０３を備える。第１ユニット１０１は、情報や画像を表示する表示画面１０４を有する。第１ユニット１０１と第２ユニット１０２は、回転機構１０５によって軸回転可能に連結されている。また、回転機構１０５の中を通る配線（不図示）によって第１ユニット１０１と第２ユニットとは電気的に接続されている。第３ユニット１０３は、使用者が文字や命令等の情報を入力する操作キー１１１を有する。第２ユニット１０２と第３ユニット１０３は、ヒンジ機構１１０によって連結されている。ヒンジ機構１１０によって、第２ユニット１０２と第３ユニット１０３とは、開閉可能（回転可能）に連結されている。また、ヒンジ機構１１０の中を通る配線（不図示）によって第２ユニット１０２と第３ユニット１０３とは電気的に接続されている。なお、図２及び図４においては、第２ユニット１０２に対向する第１ユニット１０１の側面（第１面）１０１ａを細線で図示している。また、図１及び図５においては、第１ユニット１０１に対向する第２ユニット１０２の側面１０２ａを細線で図示している。
【００２３】
次に、図１〜図５に示す状態について説明する。図１は、表示画面が設けられた面（第３面）１０１ｃとは反対側の面（第２面）１０１ｂが外面となるように閉じた状態、すなわち、表示画面１０４を内側（操作キー１１１側）に向けて閉じた状態（第１閉状態）の携帯電話機１００を示す。第１状態は、例えば、不使用時や携帯時の状態である。図２は、図１に示す第１閉状態から、ヒンジ機構１１０により、第１ユニット１０１及び第２ユニット１０２と第３ユニット１０３とを開いた状態（第１開状態）を示す。第１開状態は、例えば、使用者が表示画像１０４を見ながら操作キー１１１から情報を入力する状態である。図３は、図２に示す第１開状態から、回転機構１０５により、第１ユニット１０１が反転するように（表裏が逆になるように）第１ユニット１０１を第２ユニット１０２に対して回転させている状態である。図４は、図２に示す第１開状態から、第１ユニット１０１を反転させた状態（第２開状態）を示す。図５は、図４に示す第２開状態から、ヒンジ機構１１０により、第１ユニット１０１及び第２ユニット１０２と第３ユニット１０３とを閉じた状態（第２閉状態）を示す。第２閉状態においては、表示画面が設けられた面１０１ｃが外面となっている。第２閉状態は、例えば、使用者がテレビや動画を視聴する状態である。
【００２４】
図６に、図１に示すVI−VI線における携帯通信端末の概略部分断面図を示す。第１ユニット１０１は、第２ユニット１０２に面する側面に少なくとも１つの光源１０６を有する。光源１０６としては、例えばＬＥＤを使用することができる。光源１０６は、第２ユニット１０２に向かって発光するように配置されている。光源１０６は、回転機構１０５に対してそれぞれの側に配置すると好ましい。図１〜図５に示す形態においては、２つの光源１０６が設けられているが、３つ以上設けてもよい。
【００２５】
第２ユニット１０２は、第１ユニット１０１の光源１０６からの光を、第１閉状態及び第２閉状態における外面（第２面）１０２ｂ方向へ反射する反射面又は反射板１０９（以下「反射面」という）を有する。外面１０２ｂのうち、少なくとも反射面１０９からの光が到達する領域（例えば、点線で図示する楕円領域）は、使用者が、反射面１０９からの光を視認できるような透明性を有する。外面１０２ｂは、全体として透明性を有していてもよい。これにより、光源１０６からの光は、第２ユニット１０１の外面１０２ｂから放射され、使用者が光源１０６からの光を視認することができる。また、第２ユニット１０２は、第１閉状態及び第２閉状態において、光源１０６と対応する位置に、光源１０６からの光を反射面１０９へ導く導光路１０８を有していてもよい。外面１０２ｂと導光路１０８とは、区分することなく、一体的に形成してもよい（例えば同一材料で形成してもよい）。また、導光路１０８の少なくとも一部は中空であってもよい。
【００２６】
第１閉状態と第２閉状態において、光源１０６は、回転機構１０５の回転軸に対して線対称に移動する。このため、反射面１０９、導光路１０８、及び外面１０２ｂの透明性を有する領域は、１つの光源１０６に対応する位置にそれぞれ配置する。すなわち、反射面１０９、導光路１０８、及び外面１０２ｂの透明性を有する領域も回転機構１０５の回転軸に対して線対称に少なくとも２箇所配置する。また、光源１０６も、反射面１０９等に合わせて、回転軸に対して線対称に２箇所配置すると好ましい。これにより、第１閉状態と第２閉状態のそれぞれの状態において、２箇所発光させることができるようになる。同様に、光源１０６を回転機構１０５に対して同一側に２つ以上配置した場合には、第１閉状態と第２閉状態においてそれぞれ対応する位置に、反射面１０９、導光路１０８、及び外面１０２ｂの透明性を有する領域を形成する。
【００２７】
光源１０６の用途としては、例えば、着信、メール受信、アラーム等を発光で使用者に通知する場合等、携帯電話機１００における使用者への情報通知への使用が挙げられる。本発明によれば、携帯電話機１００が第１閉状態（例えば携帯時や不使用時）にあっても、又は第２閉状態（例えばテレビや動画の視聴時）にあっても使用者は、携帯電話機１００の通知を視認することができる。第２ユニット１０２の外面１０２ｂからの光の放射は、第１閉状態及び第２閉状態にあるときのみ行うようにしてもよい。例えば、第１開状態や第２開状態にあるときは、光源１０６を発光させず、第１閉状態及び第２閉状態にあるときのみ光源１０６を発光させるようにしてもよい。
【００２８】
本発明は、例えば、構造の制約上第２ユニット１０２に光源を配置することができない場合、携帯電話機１００を第２閉状態で使用している場合に各種通知を表示画面１０４に表示することが好ましくない場合、表示画面１０４以外の第２の表示画面が存在しない場合等に有用である。また、本発明によれば、表示画面１０４とは反対側の面１０１ｂに、補助画面を設けなくてもよいので、第１ユニット１０１を薄型化することができる。
【００２９】
次に、携帯電話機１００の内部構成の一例について説明する。図７に、携帯電話機１００の内部構成の一例を示す。携帯電話機１００は、例えば、通信機能（例えば、通話、メール送受信、インターネット接続）やＴＶ放送受信機能等を備えた携帯情報処理装置ある。図７に示す形態においては、携帯電話機１００は、第１アンテナ２１４を介して無線基地局装置（不図示）との間で無線により情報の送受を行う無線通信部２０１と、画像情報の取得（撮影）を行うカメラ部２０２と、マイク部（送話部）２０４及びスピーカ部（受話部）２０５を介して入出力された音声信号の処理を行う音声処理部２０３と、表示画面１０４を有し、画像、図形、文字、記号等の情報表示出力（映像信号処理）を行う表示部２０６と、テンキー、スクロールキー、十字キー、決定キー等の操作キー１１１を有し、携帯電話機１００に対して利用者が各種情報入力を行う操作部２０７と、放送局（地上局、衛星など）から送信された放送信号を、第２アンテナ２１５を介して受信し、該受信した信号の復調による映像データ、音声データ、情報データ等の放送信号処理を行う放送受信部２０８と、電話機能、メール機能、インターネット（ｗｅｂ）接続機能、カメラ機能、テレビ受信機能、コンテンツ再生機能、ＧＰＳ機能、ＬＥＤ発光、その他の端末の有する機能や各部の制御を行う制御部２０９と、電話帳情報、送受信メール情報、発着呼情報、コンテンツ情報、アプリケーションプログラム情報、撮影画像、及び携帯電話機１００の諸設定等を格納する記憶部２１０と、楽音や報知音などの鳴音出力を行うスピーカ部２１１と、ＧＰＳ衛星から発射された電波が携帯電話機１００に到達するまでの時間を測定し、この時間差からＧＰＳ衛星と携帯電話機１００との距離を求め、この距離を利用して位置座標を求める測位部２１２と、光源１０６としてＬＥＤを有し、着信やアラーム報知の際に発光することで利用者への報知を行うＬＥＤ部２１３と、を有する。
【００３０】
本発明の携帯通信端末は、上記実施形態に基づいて説明されているが、上記実施形態に限定されることなく、本発明の範囲内において、かつ本発明の基本的技術思想に基づいて、上記実施形態に対し種々の変形、変更及び改良を含むことができることはいうまでもない。また、本発明の請求の範囲の枠内において、種々の開示要素の多様な組み合わせ・置換ないし選択が可能である。
【００３１】
本発明のさらなる課題、目的及び展開形態は、請求の範囲を含む本発明の全開示事項からも明らかにされる。
【産業上の利用可能性】
【００３２】
上記においては、本発明の携帯通信端末を携帯電話機を例にして説明したが、本発明の携帯通信端末は、携帯電話機に限定されることなく、例えば、ＰＤＡ（ＰＤＡ；Personal Digital Assistants/Personal Data Assistants）、ノート型パソコン、ポータブルオーディオ機器、携帯ゲーム機等の種々の携帯通信端末に適用することができる。
【符号の説明】
【００３３】
１００        携帯通信端末（例えば携帯電話機）
１０１        第１ユニット
１０１ａ      第１面
１０１ｂ      第２面
１０１ｃ      第３面
１０２        第２ユニット
１０２ａ      第１面
１０２ｂ      第２面
１０３        第３ユニット
１０４        表示画面
１０５        回転機構
１０６        光源
１０８        導光路
１０９        反射面
１１０        ヒンジ機構
１１１        操作キー
２０１        無線通信部
２０２        カメラ部
２０３        音声処理部
２０４        マイク部
２０５        スピーカ部
２０６        表示部
２０７        操作部
２０８        放送受信部
２０９        制御部
２１０        記憶部
２１１        スピーカ部
２１２        測位部
２１３        ＬＥＤ部
２１４        第１アンテナ部
２１５        第２アンテナ部
【図１】
2010258519.tif 000003
【図２】
2010258519.tif 000004
【図３】
2010258519.tif 000005
【図４】
2010258519.tif 000006
【図５】
2010258519.tif 000007
【図６】
2010258519.tif 000008
【図７】
2010258519.tif 000009